(57)【要約】      （修正有）【課題】仏具としての「おりん」として用いることは勿論のこと、種々の装飾部と組み合わせることにより、多様な用途に対応できる新型りんを提供する。【解決手段】開口部１４を上部に備えた器状の金属製のりん本体部１１と、りん本体部１１に接続される装飾部１５とからなる新型りん１０であって、りん本体部１１にはその内側底面の中央部に開口部１４方向に立上った立上り部１２と、この立上り部１２の上下方向に形成された連結部とを備え、装飾部１５には接続状態でりん本体部１１の開口部１４及び側部に接触しない下端部構造と、この下端部構造の最下面に形成された連結部と連結する被連結部とを備えたもの。【選択図】図１
0003182093.tif 000002
【実用新案登録請求の範囲】
【請求項１】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部とを備えたことを特徴とする新型りん。
【請求項２】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部とを備え、
前記りん本体部の外面側壁に彫金装飾が施されたことを特徴とする新型りん。
【請求項３】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成され、上面に装飾品を載置させる載置台状の上部構造とを備えたことを特徴とする新型りん。
【請求項４】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成された載置台及びその周縁部が上方に向かって立上った周縁壁とを有する器状の上部構造とを備えたことを特徴とする新型りん。
【請求項５】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成された載置台及びその周縁部が上方に向かって立上った周縁壁とを有する器状の上部構造と、器状の上部構造内に入れられた装飾品又は装飾品の下端部を支持する支持構体とを備えたことを特徴とする新型りん。
【請求項６】
開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部が、人形又は建築物の模型であり、
前記装飾部には、前記接続状態でりん本体部の開口部及び側部に接触しない下端部構造と、この下端部構造の最下面に形成された前記連結部と連結する被連結部とを備えたことを特徴とする新型りん。
【考案の詳細な説明】
【技術分野】
【０００１】
本考案は、例えば、仏具としての「おりん」として用いることは勿論のこと、「燭台」と組み合わせたり、「線香立て」と組み合わせたり、また、「花立て」と組み合わせることができ、更には、音の出る玩具のように使用することのできる「新型りん」に関するものである。
【背景技術】
【０００２】
本考案者の一人は、仏壇に御参りする際にリン棒で叩いて音を出す器状の金属製のおりんと、これを支えるリン台とからなり、前記おりんの底面中央部に、リン台とを一体に連結する連結手段を備える高台りんを既に提案している（特許文献１参照）。
【０００３】
おりんとは、仏壇、祭壇等に載置され、勤行（ごんぎょう）の際に椀状のりん本体をりん棒と呼ばれるバチで打って音を出すものある。
【０００４】
本来、仏壇は所謂「お寺のミニチュア」として本尊を祀るものであった。しかし、近年では、ライフスタイルの変化により、フローリングのみの畳みを敷いた部屋のない家屋、マンション等の住居が現れるに従い、従来の仏間に置かれた仏壇とは相違する現代的な仏壇が現れてもいる。この現代的な仏壇は、故人や先祖を供養するためのものとして仏壇を捉える人も増えてきている。
【０００５】
この現代的な仏壇のデザインとしては、リビングに置いておいても何ら違和感のないようなインテリアとして、華美な装飾を施さないシンプルな仏壇が好まれるため「家具調仏壇」とも呼ばれ、この仏壇に応じて仏壇内に収納される仏具も従来にない、よりシンプルなデザインのものが好まれつつある。
【先行技術文献】
【特許文献】
【０００６】
【特許文献１】実用新案登録第３０５４６０７号公報
【考案の概要】
【考案が解決しようとする課題】
【０００７】
伝統的な仏壇内に収納される仏具としては、宗派により種々のものがあるが、例えば、灯籠、花立、香炉、火立、りん、りん棒等が挙げられる。しかしながら、灯籠については、仏壇自体に照明を施してその代わりとされており、また、他の仏具を仏壇内の棚上に全て揃えて配置することは、宗教にこだわっていない者の多くは、特別な場合を除いて行う必要はないと考える者が多い。
【０００８】
しかしながら、毎日の日常的な礼拝においては、花立、香炉、火立、りん、りん棒等をより簡素にしたものを仏壇内や仏壇前に配置することを希望する者の要望を叶えることのできる仏具自体が市場になかった。
【０００９】
本考案は、仏具としての「おりん」として用いることは勿論のこと、種々の装飾部と組み合わせることにより、多様な用途に対応できる「新型りん」を得ることを目的とする。具体的には、蝋燭を立てる「燭台」と組み合わせたり、線香を立てる「線香立て」と組み合わせたり、また、「花立て」「仏像」「誕生仏」「蓮飾り」と組み合わせることができ、更には、例えばクリスマスの飾りとしてのツリー等の建築物の模型や人形等と組み合わせて音の出る玩具のように使用することのできる「新型りん」を得ることを目的とする。
【課題を解決するための手段】
【００１０】
請求項１に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部とを備えたことを特徴とするものである。
【００１１】
請求項２に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部とを備え、
前記りん本体部の外面側壁に彫金装飾が施されたことを特徴とするものである。
【００１２】
請求項３に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成され、上面に装飾品を載置させる載置台状の上部構造とを備えたことを特徴とするものである。
【００１３】
請求項４に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成された載置台及びその周縁部が上方に向かって立上った周縁壁とを有する器状の上部構造とを備えたことを特徴とするものである。
【００１４】
請求項５に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部には、前記接続状態でりん本体部の開口部及び側部に接触しない下端部構造と、この下端部構造の最下面に形成された前記連結部と連結する被連結部と、前記下部構造の上部に形成された載置台及びその周縁部が上方に向かって立上った周縁壁とを有する器状の上部構造と、器状の上部構造内に入れられた装飾品又は装飾品の下端部を支持する支持構体とを備えたことを特徴とするものである。
【００１５】
請求項６に記載された考案に係る新型りんは、開口部を上部に備えた器状の金属製のりん本体部と、りん本体部に接続される装飾部とからなる新型りんであって、
前記りん本体部には、その内側底面の中央部に開口部方向に立上った立上り部と、この立上り部の上下方向に形成された連結部とを備え、
前記装飾部が、人形又は建築物の模型であり、
前記装飾部には、前記接続状態でりん本体部の開口部及び側部に接触しない下端部構造と、この下端部構造の最下面に形成された前記連結部と連結する被連結部とを備えたことを特徴とするものである。
【考案の効果】
【００１６】
本考案は、仏具としての「おりん」として用いることは勿論のこと、種々の装飾部と組み合わせることにより、新たに多様な用途に対応できる「新型りん」を得るという効果がある。例えば、蝋燭を立てる「燭台」と組み合わせたり、線香を立てる「線香立て」と組み合わせたり、また、「花立て」「仏像」「誕生仏」「蓮飾り」と組み合わせることができ、更には、例えばクリスマスの飾りとしてのツリー等の建築物の模型や人形等と組み合わせて音の出る玩具のように使用することができる。
【図面の簡単な説明】
【００１７】
【図１】本考案の一実施例の構成を示す説明図であり、ａ図は平面図、ｂ図は正面図、ｃ図は断面図、ｄ図は装飾部の平面図である。
【図２】本考案の別の実施例の構成を示す説明図であり、ａ図は平面図、ｂ図は正面図、ｃ図は断面図、ｄ図は装飾部の平面図である。
【図３】本考案の更に別の実施例の構成を示す正面図である。
【図４】本考案の別の実施例の構成を示す正面図である。
【図５】本考案の更に別の実施例の構成を示す正面図である。
【図６】本考案の別の実施例の構成を示す正面図である。
【考案を実施するための形態】
【００１８】
本考案においては、開口部を上部に備えた器状の金属製のりん本体部と、りん本体部に接続される装飾部とからなる新型りんであって、前記りん本体部には、その内側底面の中央部に開口部方向に立上った立上り部と、この立上り部の上下方向に形成された連結部とを備え、前記装飾部には、りん本体部の開口部及び側部に接触しない下端部構造と、この下端部構造の最下面に形成された前記連結部と連結される被連結部とを備える。これにより、仏具としての「おりん」として用いることは勿論のこと、種々の装飾部と組み合わせることにより、多様な用途に対応できる「新型りん」を得ることができる。
【００１９】
本考案のりん本体部としては、開口部を上部に備えた器状の金属製である点は、一般的なりんと同じであるが、その内側底面の中央部に開口部方向に立上った立上り部と、この立上り部の上下方向に形成された連結部とを備える。立上り部はりん本体部をりん棒等のバチで打った場合に発される音を阻害しないように内側底面の中央部から立上ればよく、連結部が形成された立上り部をりん本体の内側底面の中央部に溶接等で取付けても良いが、りん本体の内側を削る際に立上り部を削り出すものの方が、美しく、良好な音が発せられることになる。また、立上り部の形状は角柱状、円柱状、角錐台状、円錐台状等のものが選択されるが、円錐台状のものがりん本体の内側を削って立上り部を削り出す場合に有利である。
【００２０】
また、りん本体部の外側底面は通常のりんと同様に、重心を低くして、最下面の平面が小さく又は最下面の平面部がなく曲面を持たせて削り出されたものの方が、バチで打った際に本体部が微妙に揺れて面白い動きをさせることができる。尚、従来の伝統的なおりんと同様に座布団の上に載置させて使用するようにしても何ら問題はない。
【００２１】
尚、りん本体部については、通常のりんと同様に磨き仕上げを行った状態のものでも良いが、好ましくは、表面に塗装・メッキ等を施した上で彫金加工して装飾したものの方が、デザイン上の多様性が達成でき、りんの内側面についても鏡面仕上げを行っている方が、装飾部によってはその装飾部の背面等の周囲が鏡面に反射されて良好な印象を与える。
【００２２】
本考案の連結部及び被連結部については、互いに連結されて装飾部がりん本体部に取付けられるものであれば良い。例えば、りん本体部の立上り部に挿入孔を上下方向に形成し、この挿入孔に挿入される挿入部材を挿入し、立上り部に挿入孔と挿入部材とを上下方向に交叉する方向に閂部材やネジ部材等を通して固定してもよく、より好ましくは螺合部と被螺合部で固定するものが固定が簡便となる。この螺合部及び被螺合部については、何れかを雄ねじ又は雌ねじにしてもよく、装飾部の下端に雄ねじ又は雌ねじを配し、りん本体部の立上り部に係合する雌ねじ又は雄ねじを配すればよい。
【００２３】
本考案の修飾部としては、前記接続状態でりん本体部の開口部及び側部に接触しない下端部構造と、この下端部構造の最下面に形成された前記連結部と連結する被連結部とを備えるものであれば如何なるデザインをも取り得る。例えば、後述する実施例に示した通り、装飾部が、下部構造の上部に形成され上面に装飾品を載置させる載置台状の上部構造とを備えるもの、また、装飾部が、下部構造の上部に形成された載置台及びその周縁部が上方に向かって立上った周縁壁とを有する器状の上部構造とを備えるもの、装飾部が、下部構造の上部に形成された載置台及びその周縁部が上方に向かって立上った周縁壁とを有する器状の上部構造と、器状の上部構造内に入れられた装飾品又は装飾品の下端部を支持する支持構体とを備えるもの等が挙げられる。
【００２４】
また、装飾部で支持される装飾品としては、「蝋燭」「花」「線香」「仏像」「蓮飾り」等が選ばれる。即ち、仏具としての「おりん」として用いることは勿論のこと、装飾部を「燭台」「線香立て」「花立て」「仏像」「誕生仏」「蓮飾り」を選択することにより、これらを組み合わせて仏壇内や仏壇前に簡素に配置することができる。例えば、装飾部を仏像とすることにより、おりんと仏像とを組み合わせることにより、より身近におけるお守りとなる。
【００２５】
また、仏像の一つに「誕生仏」と呼ばれる仏像がある。これは釈迦の降誕の姿を現す仏像であり、花祭りとも呼ばれる「灌仏会（かんぶつえ）」では、誕生仏を灌仏桶の中央に安置し、柄杓で像に甘茶をかけて祝う風習がある。花祭りの時期には、おりん内に小さな誕生仏を配置し、おりん自体を灌仏桶と見立ててお参りすることも可能である。
【００２６】
また、「蓮飾り」と呼ばれるりんの内部に入れる蓮の花をかたどったアクセントが市販されている。これは緑色の座布団の上に蓮の花をかたどったおりん用の金製・銀製等の装飾品であるが、おりん内部に入れた場合には、座布団がおりんの周壁に触れることがあり、りんの音が濁る等のこともあったが、本考案の通り、装飾部に蓮飾りを施すことにより、りん本体部の開口部及び側部に接触しない下端部構造と、この下端部構造の最下面に形成された前記連結部と連結される被連結部とを備えるために、蓮飾りがおりんの周壁に触れることがなくなり、内部に蓮飾りを施した状態でりんを鳴らしても音が濁ることがない。
【００２７】
また、例えば装飾部が、ツリーの幹部下端に前記被螺合部が形成されたクリスマスツリーの模型であるものでは、仏具とは全く切り離して、音の出る玩具として使用することができる。また、クリスマスツリー以外にも、サンタクロース、トナカイ、バレリーナ等のキャラクター人形や、東京タワー、東京スカイツリー、自由の女神像等のシンボル的な建築物等の模型をりん本体部に取付けることにより、音の出る玩具や、思い出を想起させる置物として使用することができる。
【００２８】
このように本考案の「新型りん」は、りん本体部の内側底面の中央部に形成された連結部により、修飾部を連結することができるため、修飾部を種々に変更させることにより、従来の仏具としての「おりん」としての機能に加えて他の機能を取付けられることになった。即ち、例えば「燭台」「線香立て」「花立て」「仏像」「誕生仏」「蓮飾り」等を選択することにより、これらを組み合わせて仏壇内や仏壇前に簡素に配置することができ、また、装飾部を、例えばクリスマスの飾りとしてのツリー等の建築物の模型や人形等と組み合わせて音の出る玩具のように使用することのできる「新型りん」を得ることができる。
【実施例】
【００２９】
図１は本考案の一実施例の構成を示す説明図であり、ａ図は平面図、ｂ図は正面図、ｃ図は断面図、ｄ図は装飾部の平面図である。図に示す通り、本実施例の新型りん１０は、開口部１４を上部に備えた器状の金属製のりん本体部１１と、りん本体部１１に接続される装飾部１５とからなる。りん本体部１１には、その内側底面の中央部に開口部１４方向に立上った立上り部１２と、この立上り部１２の上下方向に形成された結合部としての雌ねじ穴１３とを備える。
【００３０】
装飾部１５には、りん本体部１１との接続状態で開口部１４とりん本体部１１の側部との何れにも接触しない器状の下端部構造１６と、この下端部構造１６の最下面に形成された前記雌ねじ穴１３と螺合する被結合部としての雄ねじ部１７とを備える。
【００３１】
更に、装飾部１５は、器状の下端部構造１６から上方外方に向かって広がった花弁状の上部構造１８とを備え、下端部構造１６内部には、蝋燭の下端部を支持する蝋燭立て１９がその中央部に載置されている。これにより、燭台とりんとが組み合わされた新型りん１０として、現代的な仏壇に利用することができる。尚、金属製のりん本体部１１の外側壁面に彫金を施しても良い。
【００３２】
図２は本考案の別の実施例の構成を示す説明図であり、ａ図は平面図、ｂ図は正面図、ｃ図は断面図、ｄ図は装飾部の平面図である。図に示す通り、別の実施例の新型りん２０は、開口部２４を上部に備えた器状の金属製のりん本体部２１と、りん本体部２１に接続される装飾部２５とからなる。りん本体部２１には、その内側底面の中央部に開口部２４方向に立上った立上り部２２と、この立上り部２２の上下方向に形成された結合部としての雌ねじ穴２３とを備える。
【００３３】
装飾部２５には、りん本体部２１との接続状態で開口部２４とりん本体部２１の側部との何れにも接触しない器状の下端部構造２６と、この下端部構造２６の最下面に形成された前記雌ねじ穴２３と螺合する被結合部としての雄ねじ部２７とを備える。
【００３４】
更に、装飾部２５は、器状の下端部構造２６から上方外方に向かって広がった花弁状の上部構造２８とを備え、下端部構造２６内部には、線香の下端部を支持する線香立て２９がその中央部に載置されている。これにより、線香立てとりんとが組み合わされた新型りん２０として、現代的な仏壇に利用することができる。尚、線香立て２９を取り除いて、装飾部２５を一輪立ての花立てとしても用いることも可能である。また、金属製のりん本体部２１の外側壁面に彫金を施しても良い。
【００３５】
図３は本考案の更に別の実施例の構成を示す正面図である。図に示す通り、更に別の実施例の新型りん３０は、開口部３４を上部に備えた器状の金属製のりん本体部３１と、りん本体部３１に接続される装飾部３５とからなる。りん本体部３１には、その内側底面の中央部に開口部３４方向に立上った立上り部３２と、この立上り部３２の上下方向に形成された結合部としての雌ねじ穴３３とを備える。
【００３６】
装飾部３５には、りん本体部３１との接続状態で開口部３４とりん本体部３１の側部との何れにも接触しない下端部構造３６と、この下端部構造３６の最下面に形成された前記雌ねじ穴３３と螺合する被結合部としての雄ねじ部３７とを備える。
【００３７】
更に、装飾部３５は、下端部構造３６から上方外方に向かって広がった円錐状の上部構造３８とを備え、上部構造３８の上面には、蓮華座に座した仏像３９が載置されている。これにより、仏像とりんとが組み合わされた新型りん３０として、より身近におけるお守りとなる。尚、金属製のりん本体部３１の外側壁面に彫金を施しても良い。
【００３８】
図４は本考案の更に別の実施例の構成を示す正面図である。図に示す通り、更に別の実施例の新型りん４０は、図１の蝋燭立て１９の代わりに誕生仏４９を装着したものである。即ち、開口部４４を上部に備えた器状の金属製のりん本体部４１と、りん本体部４１に接続される装飾部４５とからなる。りん本体部４１には、その内側底面の中央部に開口部４４方向に立上った立上り部４２と、この立上り部４２の上下方向に形成された結合部としての雌ねじ穴４３とを備える。
【００３９】
装飾部４５には、りん本体部４１との接続状態で開口部４４とりん本体部４１の側部との何れにも接触しない下端部構造４６と、この下端部構造４６の最下面に形成された前記雌ねじ穴４３と螺合する被結合部としての雄ねじ部４７とを備える。
【００４０】
更に、装飾部４５は、器状の下端部構造４６から上方外方に向かって広がった花弁状の上部構造４８とを備え、この上部構造４８の内部には、誕生仏４９が載置されている。これにより、誕生仏とりんとが組み合わされた新型りん４０として、花祭りの時期には、おりん自体を灌仏桶と見立ててお参りすることも可能である。尚、金属製のりん本体部４１の外側壁面に彫金を施しても良い。
【００４１】
図５は本考案の更に別の実施例の構成を示す正面図である。図に示す通り、更に別の実施例の新型りん５０は、開口部５４を上部に備えた器状の金属製のりん本体部５１と、りん本体部５１に接続される装飾部５５とからなる。りん本体部５１には、その内側底面の中央部に開口部５４方向に立上った立上り部５２と、この立上り部５２の上下方向に形成された結合部としての雌ねじ穴５３とを備える。
【００４２】
装飾部５５には、りん本体部５１との接続状態で開口部５４とりん本体部５１の側部との何れにも接触しない下端部構造５６と、この下端部構造５６の最下面に形成された前記雌ねじ穴５３と螺合する被結合部としての雄ねじ部５７とを備える。
【００４３】
更に、装飾部５５は、器状の下端部構造５６の上部に形成され、その上面に蓮飾り５９を載置させる載置台状の上部構造５８とを備え、この上部構造５８の内部には、蓮飾り５９が載置されている。これにより、蓮飾りとりんとが組み合わされた新型りん５０として、蓮飾りがおりんの周壁に触れることがなくなり、内部に蓮飾りを施した状態でりんを鳴らしても音が濁ることがない。尚、金属製のりん本体部５１の外側壁面に彫金を施しても良い。
【００４４】
図６は本考案の更に別の実施例の構成を示す正面図である。図に示す通り、更に別の実施例の新型りん６０は、開口部６４を上部に備えた器状の金属製のりん本体部６１と、りん本体部６１に接続される装飾部６５とからなる。りん本体部６１には、図示してはいないが、その内側底面の中央部に開口部６４方向に立上った立上り部と、この立上り部の上下方向に形成された結合部としての雌ねじ穴とを備える。
【００４５】
装飾部６５には、クリスマスツリーの模型６５であり、りん本体部６１との接続状態で開口部６４とりん本体部６１の側部との何れにも接触しない幹構造６６と、図示しないが、この幹構造６６の最下面に形成された前記雌ねじ穴と螺合する被結合部としての雄ねじ部とを備える。
【００４６】
これにより、クリスマスツリーの模型６５とりんとが組み合わされた新型りん６０として、音の出る玩具のように使用することのできる。また、金属製のりん本体部６１の外側壁面には氷の結晶状の彫金６９が施されている。
【産業上の利用可能性】
【００４７】
以上の通り、仏具としての「おりん」として用いることは勿論のこと、「燭台」「線香立て」「花立て」「仏像」「蓮飾り」等と組み合わせることができ、更には、音の出る玩具のように使用することもできる。
【符号の説明】
【００４８】
１０、２０、３０、４０、５０、６０…新型りん、
１１、２１、３１、４１、５１、６１…りん本体部、
１２、２２、３２、４２、５２      …立上り部、
１３、２３、３３、４３、５３      …雌ねじ穴（結合部）、
１４、２４、３４、４４、５４、６４…開口部、
１５、２５、３５、４５、５５      …装飾部、
６５…模型、
１６、２６、３６、４６、５６      …下端部構造、
６６…幹構造、
１７、２７、３７、４７、５７      …雄ねじ部（被結合部）、
１８、２８、３８、４８、５８      …上部構造、
１９                              …蝋燭立て（支持機構）、
２９                        …線香立て（支持機構）、
３９                  …仏像、
４９            …誕生仏、
５９      …蓮飾り、
６９…彫金、
【図１】
0003182093.tif 000003
【図２】
0003182093.tif 000004
【図３】
0003182093.tif 000005
【図４】
0003182093.tif 000006
【図５】
0003182093.tif 000007
【図６】
0003182093.tif 000008